(57)【要約】【課題】大型の物置台が設置可能で、作業性も良好となる脚立の物置台を提供する。【解決手段】両脚柱５，５及び横杆６からなる主脚体３と、主脚体３の両脚柱５，５間に配設された踏板６と、主脚体３の後側で上端部が主脚体３の上部側に取り付けられた補助脚体４とからなる脚立１の物置台２であって、物置台２の幅を主脚体３の両脚柱５，５の間隔よりも狭く形成し、主脚体３の両脚柱５，５間に配置した物置台２の両側面と主脚体３の両脚柱５，５との間に夫々移動枢支手段１０を介設し、使用時は、物置台２の基端部２ａを主脚体３の両脚柱５，５の上端部間で枢支状態とし、物置台２の先端部２ｂを主脚体３の後方へ突出させた水平姿勢で物置台２をロック手段１４によってロックし、物置台２を水平姿勢にロックした状態からロック解除し、移動枢支手段１０を介して物置台２を主脚体３の両脚柱５，５に対しスライドさせて両脚柱５，５間に収納するようにした。【選択図】図１
2014169546.tif 000002
【特許請求の範囲】
【請求項１】
両側一対の脚柱及び両脚柱の上端部をつなぐ横杆からなる主脚体と、主脚体の両脚柱間に上下複数段に配設された踏板と、主脚体の後側で上端部が主脚体の上部側に取り付けられた補助脚体とからなる脚立の物置台であって、物置台の幅を主脚体の両脚柱の間隔よりも狭く形成し、主脚体の両脚柱間に配置した物置台の両側面と主脚体の両脚柱との間に夫々移動枢支手段を介設し、使用時には、物置台の基端部を主脚体の両脚柱の上端部間で枢支状態とし且つ物置台の先端部を主脚体の後方へ突出させた水平姿勢で物置台をロック手段によってロックするようにし、この物置台を水平姿勢にロックした状態からそのロックを解除し、移動枢支手段を介して物置台を主脚体の両脚柱に対しスライドさせて両脚柱間に収納するようにした脚立の物置台。
【請求項２】
移動枢支手段は、主脚体の各脚柱の内側面上端部に突設された枢支用凸部と、物置台の各側面にその略全長に亘って条設され、前記枢支用凸部を案内する枢支ガイド用凹条部とからなる請求項１に記載の脚立の物置台。
【請求項３】
移動枢支手段は、物置台の各側面の基端部に突設された枢支用凸部と、主脚体の各脚柱の内側面上端部から下方へ所要長さに亘って条設され、前記枢支用凸部を案内する枢支ガイド用凹条部とからなる請求項１に記載の脚立の物置台。
【請求項４】
主脚体を水平姿勢にロックするロック手段は、主脚体の脚柱の上端部で且つ水平姿勢にある物置台の枢支位置よりも前方位置に設けた脚柱側ピン差込部材と、水平姿勢にある物置台の側面側基端部で脚柱側ピン差込部材と同軸に対向する位置に設けた物置台側ピン差込部材と、前記両ピン差込部材のピン孔に亘って差し込まれるロックピンとからなる請求項１〜３の何れかに記載の脚立の物置台。
【発明の詳細な説明】
【技術分野】
【０００１】
本発明は、脚立に釘や金槌等の作業用具、その他の必要な物を一時的に載置するための物置台を折り畳み式に取り付けるようにした脚立の物置台に関する。
【背景技術】
【０００２】
従来の物置台付き脚立には、物置台を脚立に固定したものと、折り畳み式としたものがある。物置台を脚立に対し固定的に取り付けたものとしては、例えば下記の特許文献１に記載され、また物置台を脚立に対し折り畳み式に取り付けるようにしたものには、例えば下記特許文献２に記載されたものがある。
【先行技術文献】
【特許文献】
【０００３】
【特許文献１】特開２０１２−６２６４０号公報
【特許文献２】実開昭５５−４２５５６号公報
【発明の概要】
【発明が解決しようとする課題】
【０００４】
特許文献１に記載の固定式物置台の場合には、図５の(a) に概略的に示すように、主脚体３３と補助脚体３４とからなる折り畳み式の脚立３１における主脚体３３の上端部に取り付けることができるが、脚立３１自体を折り畳んだ時に収納性が悪いため、図示のように奥行きの短い小型の物置台３２Ａが多く、従って必要な物を十分載せれない不都合がある。また、特許文献２に記載された折り畳み式物置台の場合は、図５の(b) に概略的に示すように、大型の物置台３２Ｂを取り付けることが可能であるが、物置台３２Ｂは、主脚体３３の上端部よりも下方位置で主脚体３３の後側（裏側）に取り付けられているため、主脚体３３の上端部側が邪魔になって、物置台３２Ｂから載置物を取り出しにくく、作業性が悪いと、言った問題がある。
【０００５】
本発明は、上記の事情に鑑み、大型の物置台が設置可能で、作業性も良好となる脚立の物置台を提供することを目的とする。
【課題を解決するための手段】
【０００６】
上記課題を解決するための手段を、後述する実施形態の参照符号を付して説明すると、請求項１に係る発明は、両側一対の脚柱５，５及び両脚柱５，５の上端部をつなぐ横杆６からなる主脚体３と、主脚体３の両脚柱５，５間に上下複数段に配設された踏板６と、主脚体３の後側で上端部が主脚体３の上部側に取り付けられた補助脚体４とからなる脚立１の物置台２であって、物置台２の幅を主脚体３の両脚柱５，５の間隔よりも狭く形成し、主脚体３の両脚柱５，５間に配置した物置台２の両側面と主脚体３の両脚柱５，５との間に夫々移動枢支手段１０を介設し、使用時には、物置台２の基端部２ａを主脚体３の両脚柱５，５の上端部間で枢支状態とし且つ物置台２の先端部２ｂを主脚体３の後方へ突出させた水平姿勢で物置台２をロック手段１４によってロックするようにし、この物置台２を水平姿勢にロックした状態からそのロックを解除し、移動枢支手段１０を介して物置台２を主脚体３の両脚柱５，５に対しスライドさせて両脚柱５，５間に収納するようにしたことを特徴とする。
【０００７】
請求項２は、請求項１に記載の脚立の物置台において、移動枢支手段１０は、主脚体３の各脚柱５，５の内側面上端部に突設された枢支用凸部１２と、物置台２の各側面にその略全長に亘って条設され、前記枢支用凸部１２を案内する枢支ガイド用凹条部１３とからなることを特徴とする。
【０００８】
請求項３は、請求項１に記載の脚立の物置台において、移動枢支手段１０は、物置台２の各側面の基端部に突設された枢支用凸部１２と、主脚体３の各脚柱５の内側面上端部から下方へ所要長さに亘って条設され、前記枢支用凸部１２を案内する枢支ガイド用凹条部１３とからなることを特徴とする。
【０００９】
請求項４は、請求項１〜３の何れかに記載の脚立の物置台において、主脚体３を水平姿勢にロックするロック手段１４は、主脚体３の脚柱５の上端部で且つ水平姿勢にある物置台２の枢支位置よりも前方位置に設けた脚柱側ピン差込部材１５と、水平姿勢にある物置台２の側面側基端部で脚柱側ピン差込部材１５と同軸に対向する位置に設けた物置台側ピン差込部材１６と、前記両ピン差込部材１５，１６のピン孔１５ａ，１６ａに亘って差し込まれるロックピン１７とからなることを特徴とする。
【発明の効果】
【００１０】
上記解決手段による発明の効果を、後述する実施形態の参照符号を付して説明すると、請求項１に係る発明の物置台２は、主脚体３の両脚柱５，５の間隔よりは狭いが、踏板６の奥行きよりも十分に長く形成できるもので、物置台２の基端部２ａを主脚体３の両脚柱５，５の上端部間で枢支状態として、その先端部２ｂを主脚体３の後方へ突出させた水平姿勢で物置台２をロック手段１４によりロックして使用するようにし、水平姿勢にロックした状態からロックを解除して、移動枢支手段１０を介して物置台２を主脚体３の両脚柱５，５に対しスライドさせて両脚柱５，５間に収納するようにしたから、この物置台２には、脚立１による作業中に、作業用具、その他の必要な物を十分に載せることができ、また物置台２を主脚体３の上端部の後方側へ長く突出させた状態で使用するから、物置台２上の載置物の取り出しが容易となり、作業性の向上を図ることができる。
【００１１】
請求項２に係る発明によれば、移動枢支手段１０が、主脚体３の各脚柱５，５の内側面上端部に突設された枢支用凸部１２と、物置台２の各側面にその略全長に亘って条設され、前記枢支用凸部１２を案内する枢支ガイド用凹条部１３とからなるものである場合は、主脚体３の脚柱５側に枢支用凸部１２を設け、物置台２の側面に枢支ガイド用凹条部１３を設けばよいから、構造が簡単で、製作が容易となる。
【００１２】
請求項３に係る発明によれば、移動枢支手段１０が、物置台２の各側面の基端部に突設された枢支用凸部１２と、主脚体３の各脚柱５の内側面上端部から下方へ所要長さに亘って条設され、前記枢支用凸部１２を案内する枢支ガイド用凹条部１３とからなるものである場合には、物置台２の側面側に枢支用凸部１２を設け、主脚体３の脚柱５側に枢支ガイド用凹条部１３を設ければよいから、部品点数が少なく、構造も簡単で、製作が容易となる。
【００１３】
請求項４に係る発明によれば、主脚体３を水平姿勢にロックするロック手段１４が、主脚体３の脚柱５の上端部で且つ水平姿勢にある物置台２の枢支位置よりも前方位置に設けた脚柱側ピン差込部材１５と、水平姿勢にある物置台２の側面側基端部で脚柱側ピン差込部材１５と同軸に対向する位置に設けた物置台側ピン差込部材１６と、両ピン差込部材１５，１６のピン孔１５ａ，１６ａに亘って差し込まれるロックピン１７と、からなるものである場合は、物置台２を水平姿勢に確実にロックすることができ、またロック操作及びロック解除操作も簡単容易となる。
【図面の簡単な説明】
【００１４】
【図１】本発明に係る脚立の物置台の使用状態を示す斜視図である。
【図２】(a) は図１に示す脚立の物置台の側面図、(b) は脚立及び物置台を折り畳んだ状態の側面図である。
【図３】(a) は図２の(a) のＸ−Ｘ線拡大断面図で、一実施形態による移動枢支手段を示し、(b) は図２の(a) のＹ−Ｙ線拡大断面図である。
【図４】(a) は他の実施形態による移動枢支手段を備えた物置台の取付状態を示す斜視図、(b) は(a) に示す物置台が主脚体の両脚柱間に収納された状態を示す一部断面正面図である。
【図５】従来の物置台付き脚立を示す説明図で、(a) は固定式の物置台を示し、(b) は折り畳み式の物置台を示す。
【発明を実施するための形態】
【００１５】
以下に本発明の好適な実施形態を図面に基づいて説明すると、図１及び図２において、１は折り畳み式の脚立、２は物置台である。脚立１は、周知構造のもので、両側一対の脚柱５，５及び両脚柱５，５の上端部をつなぐ横杆６からなる主脚体３と、主脚体３の後側で上端部が主脚体３の上部側に取り付けられた補助脚体４と、主脚体３の両脚柱５，５間に上下複数段に配設された踏板６と、両側一対の踏板回動杆７，７と、から構成されている。
【００１６】
補助脚体４は、両側一対の脚柱８，８と、両脚柱８，８の下端部をつなぐ横杆９とからなるもので、両脚柱８，８の上端部は夫々、主脚体３を形成する両脚柱５，５の後側面の上端部から下方へ離れた位置に設けたブラケット２１にピン２７により枢着されている。各踏板６は、両側面前端部が夫々主脚体３の両脚柱５，５にピン２２で枢着され、各踏板６の両側面後端部は、各踏板回動杆７にピン２３で枢着され、そして各踏板回動杆７の上部側所要部と、補助脚体４を形成する脚柱８の中間部所要位置とが連動杆２４によってピン２５，２６で枢支連結されている。
【００１７】
図２の(a) に概略示すように、最上段側踏板６の後端部にはフック部２８が設けられ、このフック部２８が、補助脚体４の両脚柱８，８上部間に横架された支持バー２９に対して上方より係脱可能に係止することにより、各踏板６が図１及び図２の(a) に示すように水平姿勢を維持することができる。尚、最上段側踏板６のフック部２８と補助脚体４側の支持バー２９との間には、支持バー２９に対するフック部２８の係止状態を保持するためのチャック手段（図示省略）が介設されていて、図１及び図２の(a) に示す脚立１の使用位置で各踏板６を水平姿勢にロックできるようになっている。
【００１８】
従って、図１及び図２の(a) に示すような脚立１の使用位置から、最上段側踏板６のフック部２８を補助脚体４側の支持バー２９から離脱させ、踏板回動杆７を上方へ持ち上げながら主脚体３と補助脚体４とを互いに引き寄せることにより、脚立１全体を図２の(b) に示すように折り畳むことができる。
【００１９】
次に、物置台２の構造及び主脚体３に対する取付構造について、図１〜図３を参照して説明する。この物置台２は、幅が主脚体３の両脚柱５，５間の間隔よりも僅かに狭く、長さが図示のように踏板６の奥行きより十分長く形成されて、主脚体３の両脚柱５，５間に配置された状態で、物置台２の両側面と主脚体３の両脚柱５，５との間に夫々移動枢支手段１０が介設されており、物置台２の使用時には、図１及び図２(a) の実線図示のように物置台２の基端部２ａを主脚体３の両脚柱５，５の上端部間で枢支状態とし且つ物置台２の先端部２ｂを主脚体３の後方へ突出させた水平姿勢で物置台２をロック手段１４によってロックし、そしてこの物置台２が水平姿勢にロックされた状態からロック手段１４によるロックを解除して、移動枢支手段１０を介して物置台２を主脚体３の両脚柱５，５に対しスライドさせることによって、物置台２を両脚柱５，５間に平行に収納できるようにしている。
【００２０】
この場合の移動枢支手段１０は、図１、図２の(a) 及び図３の(a) に示すように、主脚体３の各脚柱５の内側面上端部に突設された枢支用凸部１２と、物置台２の各左右側面にその略全長に亘って条設され、前記枢支用凸部１２を案内する枢支ガイド用凹条部１３とからなるもので、図３の(a) から分かるように、枢支用凸部１２は、脚柱５の上端部所定位置に挿通して取り付けられた取付軸部１２ｏと、この取付軸部１２ｏの先端部に設けられ、枢支ガイド用凹条部１３に沿って摺動又は転動する駒片１２ａとによって形成され、そして枢支ガイド用凹条部１３は、物置台２の各側面に取り付けられたガイドレール１８によって形成される。
【００２１】
また、主脚体３を主脚体３の上端部において水平姿勢にロックするロック手段１４は、図１、図２の(a) 及び図３の(b) に示すように、主脚体３の脚柱５の上端部で且つ水平姿勢にある物置台２の枢支位置（枢支用凸部１２の設けられた位置）よりも前方位置に設けた脚柱側ピン差込部材１５と、水平姿勢にある物置台２の側面側基端部で脚柱側ピン差込部材１５と同軸に対向する位置に設けた物置台側ピン差込部材１６と、前記両ピン差込部材１５，１６のピン孔１５ａ，１６ａに亘って差し込まれるロックピン１７と、から構成されている。尚、図３の(b) には、ロック手段１４のみを図示し、移動枢支手段１０の図示を省略している。
【００２２】
この脚立１では、物置台２が主脚体３の上端部で水平姿勢の使用位置にある時、この物置台２にかかる荷重は、移動枢支手段１０の枢支用凸部１２及びロック手段１４のロックピン１７で受けられるが、図１及び図２に示すように、主脚体３の背面側上端部には例えばパイプ材からなる横桟１１が脚柱５，５間に横架されていて、この横桟１１でも物置台２にかかる荷重を受けることができるようになっているから、構造的にも頑強となる。
【００２３】
上記のように構成される物置台２の作用について説明すれば、図１及び図２の(a) は、脚立１の主脚体３と補助脚体４とが所定角度の使用位置に開脚され、そして物置台２が、主脚体３の上端部で水平姿勢の使用位置にロック手段１４によりロックされた状態を示している。このように物置台２が水平姿勢の使用位置にある時の移動枢支手段１０は、図２の(a) 及び図３の(a) に示す通り、固定位置にある枢支用凸部１２が物置台２側の枢支ガイド用凹条部１３の基端部側に係合している。
【００２４】
上記のような水平姿勢の使用位置にロックされた物置台２を主脚体３内に収納する時には、各ロック手段１４のロックピン１７を脚柱側ピン差込部材１５及び物置台側ピン差込部材１６から抜き取れば、物置台２は、枢支用凸部１２とこれが係合している枢支ガイド用凹条部１３とからなる移動枢支手段１０が移動自在となるから、この物置台２を、図２の(a) に実線で示す水平姿勢の使用位置から同図の仮想線図示のように主脚体３の手前側下方へ引っ張ることによって、図１の仮想線図示のように物置台２を主脚体３の両脚柱５，５間の上部側に収納することができる。図２の(b) には、脚立１全体を折り畳んだ時、物置台２を、主脚体３の両脚柱５，５間に平行に収納した状態を示す。
【００２５】
上述した図１〜図３によって説明した物置台２の移動枢支手段１０は、主脚体３の脚柱５の上端部に枢支用凸部１２を設け、物置台２の側面に枢支ガイド用凹条部１３を設けたものであるが、図４の(a) ，(b) に示すように、物置台２の各側面の基端部に枢支用凸部１２を突設し、主脚体３の各脚柱５の内側面に枢支ガイド用凹条部１３を設けるようにしてもよい。
【００２６】
即ち、図４の(a) ，(b) に示す移動枢支手段１０は、物置台２の各側面の基端部に突設された枢支用凸部１２と、主脚体３の各脚柱５の内側面側に設けられ、枢支用凸部１２を案内する枢支ガイド用凹条部１３とからなるもので、枢支ガイド用凹条部１３は、脚柱５の内側面上端部からその下方へ所要長さに亘って形成されたガイド溝１９からなり、また枢支用凸部１２は、物置台２の側面に取り付けられ、枢支ガイド用凹条部１３のガイド溝１９に沿ってスライドする取付軸部１２ｏと、この取付軸部１２ｏの先端部に設けられ、脚柱５内をスライドする駒片１２ａとによって形成される。
【００２７】
上記した図４に示すような移動枢支手段１０を備えた物置台２を水平姿勢で使用する時は、各ロック手段１４のロックピン１７を脚柱側及び物置台側のピン差込部材１５，１６に差し込めば、物置台２は水平姿勢に保持され、そして物置台２にかかる荷重は、脚柱５の背面側上端部に設けられた横桟１１で受けられると共に、移動枢支手段１０の枢支用凸部１２及びロック手段１４のロックピン１７によって支持される。そして、この物置台２を図４の(a) に実線で示す水平姿勢の使用位置から主脚体３内に収納する時には、各ロック手段１４のロックピン１７をピン差込部材１５，１６から抜き取ってロック解除すれば、物置台２は、物置台側枢支用凸部１２と脚柱側枢支ガイド用凹条部１３からなる移動枢支手段１０が移動自在となるから、この物置台２を、図４の(a) に実線で示す水平姿勢の使用位置から手前側へ引きながら下降させることによって、同図の仮想線図示のように物置台２を主脚体３の両脚柱５，５間の上部側に収納することができる。図４の(b) には、物置台２を主脚体３の両脚柱５，５間に収納した時に物置台側枢支用凸部１２が脚柱側枢支ガイド用凹条部１３（ガイド溝１９）の下端に係止された状態を仮想線で示す。尚、この収納状態において、物置台２の上端側は、前記横桟１１で支持される。
【００２８】
以上説明した脚立１の物置台２は、主脚体３の両脚柱５，５の間隔よりは狭いが、踏板６の奥行きよりも十分に長く形成されたもので、図１及び図２の(a) に示すように、物置台２の基端部２ａを主脚体３の両脚柱５，５の上端部間で枢支状態として、その先端部２ｂを主脚体３の後方へ突出させた水平姿勢で物置台２をロック手段１４によりロックして使用するようにし、また水平姿勢にロックした状態からロックを解除して、移動枢支手段１０を介して物置台２を主脚体３の両脚柱５，５に対しスライドさせて両脚柱５，５間に収納するようにしたから、この物置台２には、脚立１による作業中に釘や金槌等の作業用具、その他の必要な物を十分に載せることができ、また物置台２を主脚体３の上端部の後方側へ長く突出させた状態で使用するから、物置台２上の載置物の取り出しが容易となって、作業性の向上を図ることができる。
【００２９】
また、この物置台２の移動枢支手段１０としては、図１〜図３に示すように、主脚体３の各脚柱５，５の内側面上端部に突設された枢支用凸部１２と、物置台２の各側面にその略全長に亘って条設され、前記枢支用凸部１２を案内する枢支ガイド用凹条部１３とからなるものを使用できるし、また図４の(a) ，(b) に示すように、物置台２の各側面の基端部に突設された枢支用凸部１２と、主脚体３の各脚柱５の内側面上端部から下方へ所要長さに亘って条設され、前記枢支用凸部１２を案内する枢支ガイド用凹条部１３とからなるものを使用することができる。前者の場合は、主脚体３の脚柱５側に枢支用凸部１２を設け、物置台２の側面に枢支ガイド用凹条部１３を形成すればよく、また後者の移動枢支手段１０の場合は、物置台２の側面側に枢支用凸部１２を設け、主脚体３の脚柱５側に枢支ガイド用凹条部１３（ガイド溝１９）を形成すればよく、何れの場合も、構造が簡単であるため、製作的にも容易となる。
【００３０】
また、主脚体３を水平姿勢にロックするロック手段１４としては、例えば図３の(b) に示すように、主脚体３の脚柱５の上端部で且つ水平姿勢にある物置台２の枢支位置よりも前方位置に設けた脚柱側ピン差込部材１５と、水平姿勢にある物置台２の側面側基端部で脚柱側ピン差込部材１５と同軸に対向する位置に設けた物置台側ピン差込部材１６と、前記両ピン差込部材１５，１６のピン孔１５ａ，１６ａに亘って差し込まれるロックピン１７とからなるものを使用することにより、物置台２を水平姿勢に確実にロックすることができると共に、ロック操作及びロック解除操作も簡単容易となる。
【００３１】
尚、ロック手段１４としては、上記した図３の(b) に示す構造のものに限らず、主脚体３を水平姿勢にロックできるものであれば、どのうような構造のものでもよい。
【００３２】
以上の実施形態では、脚立は、使用状態において、主脚体が後傾姿勢、補助脚体が前傾姿勢で、補助脚体の上端部が主脚体の後側から主脚体の上部側に取り付けられているものについて説明したが、主脚体の上端部側が補助脚体の上端部のところから水平に対し垂直に立ち上がっている構造のものにも、本発明の物置台の適用が可能である。
【符号の説明】
【００３３】
１            脚立
２            物置台
３            主脚体
４            補助脚体
５            脚柱
６            横杆
１１          横桟
１０          移動枢支手段
１２          枢支用凸部
１３          枢支ガイド用凹条部
１４          ロック手段
【図１】
2014169546.tif 000003
【図２】
2014169546.tif 000004
【図３】
2014169546.tif 000005
【図４】
2014169546.tif 000006
【図５】
2014169546.tif 000007